(57)【特許請求の範囲】
【請求項１】
合成樹脂被覆鋼管製の手摺杆と、設置壁面に対して該手摺杆を支持するブラケット本体と、該ブラケット本体を被覆するブラケットカバーとよりなる手摺において、該ブラケット本体は設置壁面に取付けられるべき取付板部と該取付板部にＬ字状に接合されその外面側に該手摺杆端部が挿入固着される環状凹部を備えた支持板部とを有し、該支持板部の外面に接して該取付板部側を除く該支持板部側縁には周囲に張出すフランジ部が突設され、且つ該フランジ部側縁の並行部分に位置する該支持板部側縁には凹溝が形成され、該凹溝にはより溝底が深くされた深溝部が形成され、該ブラケットカバーは該取付板部と該支持板部とで包囲される空間を内包すると共に該支持板部側を除く該取付板部側縁の形状に相当するＵ字状の取付板部側の端縁と該取付板部側の端縁に対しＬ字状をなし該取付板部側を除く該支持板部側縁の形状に相当するＵ字状の支持板部側の端縁とを有する形状とされ、Ｕ字状に形成された該支持板部側の端縁の並行部分に位置する対向箇所には内向き突縁が形成され、該内向き突縁には該深溝部に対応する箇所でより長い突出長を有する突起部が形成され、該ブラケット本体の該凹溝に該ブラケットカバーの該内向き突縁が係合されると共に該ブラケット本体の該深溝部に該ブラケットカバーの該突起部が係止された状態で、該ブラケットカバーの該支持板部側の端縁が該ブラケット本体のフランジ部の張出面内に当接されることを特徴とする手摺。
【請求項２】
前記手摺杆は、鋼管を被覆する被覆合成樹脂層の外表面長手方向に間隔をおいて把持用凹部が列設された合成樹脂被覆鋼管とすると共に、前記ブラケット本体の該環状凹部に挿入される先端部分における該被覆合成樹脂層は、該被覆合成樹脂層の厚みが薄く形成されて該環状凹部の形状に相当する縮径被覆層とされており、該手摺杆取付時に縮径開始箇所における被覆層段部面が該ブラケット本体の該支持板部に当接することを特徴とする請求項１記載の手摺。
【請求項３】
前記ブラケット本体には、該取付板部の手摺長さ方向中心線に沿って複数の取付ネジ孔が穿設され、該中心線上における該取付板部の開放端側外端縁には縦方向位置決め溝が厚さ方向に凹設され、該取付板部の手摺長さ方向両側縁部から該支持板部の手摺長さ方向両側縁部にかけてこれら両板部を接合する一対の側板部が形成され、該側板部のそれぞれの外面には該取付ネジ孔の位置に対応した横方向位置決め溝が該取付板部の厚さ方向に凹設されていることを特徴とする請求項１または請求項２記載の手摺。
【請求項４】
前記ブラケット本体における該取付板部の外形輪郭に相当する平面外形を有する水密性柔軟材料製の座板を前記設置壁面と該ブラケット本体の間に介在させて取付けることを特徴とする請求項１乃至３のいずれか１項記載の手摺。
【発明の詳細な説明】
【０００１】
【発明の属する技術分野】
本発明は、建物に設置する手摺、特に浴室等の水を多用する箇所に設置した場合に有効な手摺に関する。
【０００２】
【従来の技術】
この種の手摺に関する従来技術として、例えば特公平３−７４７３７号公報や実公平４−１２９１２号公報に記載された技術が挙げられる。これら従来の手摺は、当該公報記載の作用効果を発揮する反面、種々の欠点が指摘される。即ち特公平３−７４７３７号公報には従来周知の構造を有する手摺ブラケットが記載されており、かかる手摺ブラケットを使用した場合には、▲１▼壁面への取付ネジ孔が外部に露出した手摺ブラケットを使用したために、浴室等に使用した場合に、取付ネジ孔に水が侵入しやすく、露出している取付ネジが腐食するばかりでなく、取付ける建物自体も腐食等の被害が発生する、▲２▼取付ネジのネジ頭に接触して使用者が怪我をする虞がある、▲３▼設置壁面への取付ネジ孔は手摺の配置位置のみでは決定することのできない位置に設けられでおり、設置壁面上で取付ネジ孔に対応する取付ネジ設置位置を確定することに手間がかかる、▲４▼取付ネジ頭が露出し、また取付ブラケットの形状が機械的なので、外観や触感が優れない、等の欠点が見いだされる。
【０００３】
また実公平４−１２９１２号公報記載のものでは、手摺ブラケットにブラケットカバーを付設して、取付ネジ頭の露出を防止し、外観の改良はしているものの、▲１▼ブラケットカバーは、角部を有する小口が露出するために、使用者が接触して怪我をする虞がある、▲２▼ブラケットカバーの取付が極めて部分的な箇所で行われるために、取付が不安定でブラケットカバーが外れやすく、また小口が露出するために、いたずら等によってブラケット本体とブラケットカバーとの接合部がこじ開けられ、装着したブラケットカバーが取外される虞がある、▲３▼ブラケット本体とブラケットカバーとの水密性が十分でなく、ブラケットカバー内に水が入りやすい、▲４▼設置壁面への取付ネジ孔が手摺の長手方向に列設されていないので、例えばタイル張り壁面で通り目地上にすべての取付ネジ位置を設定することができない、▲５▼全体的に角張った形状が残り、外観や触感に不満足な点が存在する、等の欠点が見いだされる。
【０００４】
【発明が解決しようとする課題】
本発明は、前記した従来技術の欠点を克服するものであり、本発明が解決しようとする課題は、手摺杆を支持固定するブラケット本体と該ブラケット本体を被覆するブラケットカバーとを使用した手摺に於いて、使用者の接触による怪我の発生を防止し、また腐食等を発生する原因となる内部への水分の侵入を防止し、更に外観の優美な手摺を提供することにある。また本発明が解決しようとする他の課題は、合成樹脂被覆層にディンプル加工等が施された手摺杆を使用するのに適した手摺を提供することにある。更に本願の発明が解決しようとする他の課題は、設置壁面に対して容易にネジ取付位置を確定することができると共にすべての取付ネジを１列に配置することのできる手摺を提供することにある。また本発明が解決しようとする他の課題は、壁面により良好にブラケットを取付けるための座板を付設した手摺を提供することにある。
【０００５】
【課題を解決するための手段】
前記課題を解決するために、本発明にかかる手摺は、合成樹脂被覆鋼管製の手摺杆と、設置壁面に対して該手摺杆を支持するブラケット本体と、該ブラケット本体を被覆するブラケットカバーとよりなる手摺において、該ブラケット本体は設置壁面に取付けられるべき取付板部と該取付板部にＬ字状に接合されその外面側に該手摺杆端部が挿入固着される環状凹部を備えた支持板部とを有し、該支持板部の外面に接して該取付板部側を除く該支持板部側縁には周囲に張出すフランジ部が突設され、且つ該フランジ部側縁の並行部分に位置する該支持板部側縁には凹溝が形成され、該凹溝にはより溝底が深くされた深溝部が形成され、該ブラケットカバーは該取付板部と該支持板部とで包囲される空間を内包すると共に該支持板部側を除く該取付板部側縁の形状に相当するＵ字状の取付板部側の端縁と該取付板部側の端縁に対しＬ字状をなし該取付板部側を除く該支持板部側縁の形状に相当するＵ字状の支持板部側の端縁とを有する形状とされ、Ｕ字状に形成された該支持板部側の端縁の並行部分に位置する対向箇所には内向き突縁が形成され、該内向き突縁には該深溝部に対応する箇所でより長い突出長を有する突起部が形成され、該ブラケット本体の該凹溝に該ブラケットカバーの該内向き突縁が係合されると共に該ブラケット本体の該深溝部に該ブラケットカバーの該突起部が係止された状態で、該ブラケットカバーの該支持板部側の端縁が該ブラケット本体のフランジ部の張出面内に当接されることを主な特徴とするものである。
【０００６】
また、かかる手摺において、前記手摺杆は、鋼管を被覆する被覆合成樹脂層の外表面長手方向に間隔をおいて把持用凹部が列設された合成樹脂被覆鋼管とすると共に、前記ブラケット本体の該環状凹部に挿入される先端部分における該被覆合成樹脂層は、該被覆合成樹脂層の厚みが薄く形成されて該環状凹部の形状に相当する縮径被覆層とされており、該手摺杆取付時に縮径開始箇所の被覆層段部面が該ブラケット本体の該支持板部に当接することを特徴とするものである。
【０００７】
さらに、かかる手摺において、前記ブラケット本体には、該取付板部の手摺長さ方向中心線に沿って複数の取付ネジ孔が穿設され、該中心線上における該取付板部の開放端側外端縁には縦方向位置決め溝が厚さ方向に凹設され、該取付板部の手摺長さ方向両側縁部から該支持板部の手摺長さ方向両側縁部にかけてこれら両板部を接合する一対の側板部が形成され、該側板部のそれぞれの外面には該取付ネジ孔の位置に対応した横方向位置決め溝が該取付板部の厚さ方向に凹設されていることを特徴とするものである。
【０００８】
また、かかる手摺において、ブラケット本体における該取付板部の外形輪郭に相当する平面外形を有する水密性柔軟材料製の座板を前記設置壁面と該ブラケット本体の間に介在させることを特徴とするものである。
【０００９】
【発明の実施の形態】
本発明の実施の形態を添付図面を参照して説明する。図１および図２において本発明にかかる手摺は、基本的に、手摺杆２を掛渡した一対のブラケット本体１０，１０を設置壁面１に取付け、ブラケット本体１０にブラケットカバー３０を装着させてなるものである。手摺は、手摺を支持することができる建物の任意の箇所の設置壁面１に設置可能であるが、特に水を多用する浴室、洗面所、ユティリティルーム、厨房等に設置した場合に有効である。また手摺杆２を上下方向、斜方向、水平方向等の任意の方向に向けて設置することが可能である。
【００１０】
手摺杆２を支持固定し設置壁面１に取付けるためのブラケット本体１０は、例えばＡＢＳ樹脂のような弾力性を有する硬質合成樹脂や金属により成形される。図１、図４および図５で明らかなように、ブラケット本体１０には、設置壁面１に取付けられるべき取付板部１１と取付板部１１にＬ字状に接合されその外面側に手摺杆２の端部が挿入固着される環状凹部１３を備えた支持板部１２が形成されている。そして取付板部１１の両側部から支持板部１２の両側部にかけて、これらの取付板部１１と支持板部１２を接合する一対の側板部１４，１４が形成されている。支持板部１２は後述する手摺杆２の固定支持手段を有するために厚肉に形成されており、上面から見た場合には、図６で示されるように、支持板部１２と側板部１４，１４とは曲面を介して連続する形状を有する。取付板部１１にはその手摺長さ方向中心線に沿って、複数の取付ネジ孔１５，１５が穿設され、内面から取付ネジ孔１５，１５に取付ネジ（図示されていない。）を挿入し、外面に位置する設置壁面１に取付ネジをねじ込んでブラケット本体１０を設置壁面１に取付ることができるようにされている。
【００１１】
図１乃至図４に示されるように、本発明で使用される手摺杆２は、ステンレス鋼管のような鋼管３に、軟質、半硬質、或は硬質の合成樹脂被覆層４を被覆成形した合成樹脂被覆鋼管が使用され、特に好ましくは、その合成樹脂被覆層４の外表面に手摺杆２の長手方向に沿う把持用凹部５が間隔をおいて列設された被覆鋼管が使用される。把持用凹部５が列設された手摺杆２は合成樹脂被覆層４を押出し成形する際に、図３に示すような太鼓型（俵型）の凹部が同時に成形されるもので、例えば浴室等で使用者が濡れた手で握った際にも指が凹部に位置するので滑り難く、また太鼓型（俵型）の凹部とすることにより凹部の方向と握った指の方向の違いを凹部中央の太い部分で吸収して違和感を生じさせない特徴を有する。ブラケット本体１０に支持される手摺杆２の先端部分における合成樹脂被覆層４は、ブラケット本体１０における支持板部１２の環状凹部１３に挿入できるように、所定位置から先端にかけて環状凹部１３の形状に相当する太さに表面側を皮剥き加工して縮径被覆層６とする。特に長手方向に沿う把持用凹部５が列設される手摺杆２を使用する場合には、把持用凹部５が付されている箇所を直接ブラケット本体１０の環状凹部１３に挿入するとすれば、凹部の箇所が環状凹部１３内迄およんで浸水間隙を構成するために不都合であって、なめらかな円筒形状を得るために先端部の皮剥き加工は必須である。皮剥き加工を行う結果、皮剥きを開始した箇所には被覆層段部面７が形成される。更に先端部分には所定位置に後述する固定ネジを通過させるための通孔８が穿設される。
【００１２】
支持板部１２に於ける環状凹部１３への手摺杆２の支持固定手段について詳述すると、支持板部１２は前述のように厚肉に形成され、図１および図４に示されるように、環状凹部１３は、支持板部１２の外面から厚みの奥深い内壁１６に至る迄形成された円孔１７と、円孔１７と同心で支持板部１２の内壁１６から支持板部１２の外面を超えて突出する環状突起１８との間隙で形成される。図５乃至図７で示されるように環状突起１８は、その外面に放射状に突出する数条の支持突条１９が形成され、また環状突起１８の下側部には厚肉部２０が形成されており、また図１または図４に示されるように、この厚肉部２０に向って支持板部１２には取付板部１１側の外面から連通孔２１が穿孔されている。手摺杆２をブラケット本体１０に固定する場合に、縮径加工された手摺杆２の先端部を環状凹部１３に挿入すると、手摺杆２における鋼管３内周が環状突起１８の支持突条１９に接触して支持突条１９を圧縮変形させ、鋼管３は容易に抜出さないように支持される。そして連通孔２１を通じて、固定ネジ９を手摺杆２先端に穿孔された通孔８を通過させて環状突起１８の厚肉部２０に螺着すると手摺杆２はブラケット本体１０に完全に固定される。この状態で、手摺杆２の被覆層段部面７は支持板部１２の外面に密着して、当該部分の水密性を確保することができる。
【００１３】
ブラケット本体１０には、支持板部１２の外面に接して取付板部１１側を除く該支持板部１２の周囲に張出しその側縁が曲面に形成されたフランジ部２２が突設されている。フランジ部２２は取付板部１１側を除いて支持板部１２の頂部および一対の側部に突設されているが、その並行部分である手摺幅方向の支持板部側縁には図６および図７に示されるように、フランジ部２２の付け根部に接して凹溝２３，２３が形成され、また凹溝２３，２３には取付板部１１外面に近接した箇所でより溝底が深くされた深溝部２４，２４が形成されて後述するブラケットカバー３０の係合係止手段を構成する。図１および図３に示されるように、取付板部１１外面には、連通孔２１以外に、取付ネジ孔１５，１５を囲むように浅い凹陥部２５が穿設され、また凹陥部２５を挟んで凹窪２６，２６が穿設されている。これら凹陥部２５および凹窪２６は後述する座板４０の付設時に関連構造として役立つ。また側板部１４，１４の外面には、取付ネジ孔１５の位置に対応した横方向位置決め溝２８，２８が取付板部１１の厚さ方向に凹設されている。図５および図６において、取付板部１１の開放端側上面に位置する段部２７は、後述するブラケットカバー３０を被覆装着させた場合にブラケットカバー３０の端部を支持するために形成され、また段部２７には取付ネジ孔１５，１５と同列に縦方向位置決め溝２９が厚さ方向に凹設されている。
【００１４】
ブラケットカバー３０は、例えばＡＢＳ樹脂のような弾力性を有する硬質合成樹脂や金属によって成形され、図１、図８、図９に示されるように、側板部１４，１４を含む取付板部１１と支持板部１２とで包囲される空間を内包し、支持板部１２側を除く取付板部１１側縁の形状に相当するＵ字状の取付板部側の端縁３１と、取付板部側の端縁３１に対しＬ字状をなし取付板部１１側を除く支持板部１２側縁の形状に相当するＵ字状の支持板部側の端縁３２を有する形状とされる。そしてＵ字状に形成され向合った支持板部側の端縁３２の並行部分における対向箇所には、支持板部側の端縁３２に沿う内向き突縁３３，３３が形成され、内向き突縁３３，３３には取付板部側の端縁３１に近接した箇所でより長い突出長を有する突起部３４，３４が突設されている。ブラケット本体１０にブラケットカバー３０を被覆装着する場合に、ブラケット本体１０の凹溝２３，２３にブラケットカバー３０の内向き突縁３３，３３を係合させてブラケット本体１０に対しブラケットカバー３０を取付板部１１方向に移動させると、やがてブラケット本体１０の深溝部２４，２４にブラケットカバー３０の突起部３４，３４が係止し、ブラケット本体１０からブラケットカバー３０が容易に離脱することのない係止状態を得ることができる。この状態でブラケットカバー３０内に突設した突子３５はブラケット本体１０の段部２７に当接し、ブラケットカバー３０に加えられる外圧をブラケット本体１０に伝達するようにされている。なお図１に示されるように、ブラケットカバー３０の内壁には必要に応じて突条３６，３６が突設され、ブラケットカバー３０を補強すると共に、ブラケット本体１０にブラケットカバー３０を被覆装着した場合に、突条３６，３６がブラケット本体１０の横方向位置決め溝２８，２８に係合して、ブラケット本体１０とブラケットカバー３０との係合状態を緊密にすることができる。
【００１５】
手摺を設置壁面１に設置するには、先ず所定長さの手摺杆２の両端部を上述のように皮剥き加工して縮径被覆層６を形成し、次いで縮径被覆層６をブラケット本体１０の環状凹部１３に挿入固定する。皮剥き加工を開始した箇所には被覆層段部面７が形成されているので、被覆層段部面７をブラケット本体１０における支持板部１２の外面に密着させると、該部での水密性が確保されブラケット本体１０内部への浸水が防止できる。同時にブラケット本体１０における支持板部１２には、周囲に張出すフランジ部２２が突設されているために、被覆層段部面７の縁がフランジ部２２の張出面を超えることがなく、張出面範囲内で支持板部１２に当接することになるから、使用者が外方に突出した被覆層段部面７の縁に接触して怪我をするような虞がない。また使用者が手摺杆を握った手を滑らせた場合にも、フランジ部２２に滑らせた手が当接してそれ以上の滑りを停止し、手摺による支持を得ることができる。特に長手方向に沿う把持用凹部５が列設される手摺杆２を使用する場合には、前述のように、先端部の皮剥き加工が必須であるが、把持用凹部５が付されている手摺杆断面は真円とならないために、皮剥き加工の厚さを一様にすることが困難であり、屡々手摺杆の中心と縮径被覆層６の中心とにズレを生ずる場合を生ずる。しかしながらこのような場合でも、支持板部１２に周囲に張出すフランジ部２２が形成されているために、被覆層段部面７の縁はフランジ部２２の張出面を超えることなく支持固定されるので、皮剥き加工時の芯合わせに過度の厳密性が要求されることがなく作業能率を向上させることができる。また、周囲に張出すフランジ部２２が突設されているために、厚みの異なる合成樹脂被覆層を有する手摺杆や外周に凹凸条を有する手摺杆等、外径や外部形状の異なる各種の手摺杆を同一のブラケット本体に適用して使用可能であり、部品点数を減少させることができる。
【００１６】
次に、一対のブラケット本体１０，１０間に手摺杆２を固定させた組立体を双方のブラケット本体１０，１０における縦方向位置決め溝２９，２９を設置壁面１に罫書かれた手摺の長手方向配置線に合致させて設置壁面１上に保持し、双方のブラケット本体１０，１０における各一対毎の横方向位置決め溝２８，２８の位置の設置壁面１に各一対の罫書印を付す。保持した組立体を取除き、各一対の罫書印を結ぶ幅方向直線を罫書くと、該長手方向配置線と該幅方向直線との交点が取付ネジ孔１５，１５の位置と対応する設置壁面１上のネジ孔位置となり、該ネジ孔位置に穿孔等のネジ螺着のための前処理をおこなうことができる。このようにブラケット本体１０の側縁に取付ネジ孔１５，１５の位置に対応する横方向位置決め溝２８および縦方向位置決め溝２９を凹設することにより、設置壁面１上でのネジ孔位置を迅速に且つ正確に知ることができる。また連結された双方のブラケット本体１０，１０のすべての取付ネジ孔１５，１５は一直線状に配置されるから、例えば浴室での手摺配置で壁面タイルの通り目地部に合致させて取付ネジを配置すること等は極めて簡単に行うことができる。設置壁面１におけるネジ孔位置の前処理が終了すれば、再び該組立体を設置壁面１に配置保持する。その際設置壁面１の罫書線に位置決め溝２８，２９を合致させて配置すれば、正確に再配置することができる。そして取付ネジ孔１５，１５に取付ネジを挿入すれば、取付ネジは設置壁面１のネジ孔位置に正確に位置することになり、取付ネジを締着すれば、ブラケット本体１０，１０を罫書線に対して傾斜するようなことなしに短時間に取付けることができ施工能率を上げることが可能である。
【００１７】
ブラケット本体１０は、直接設置壁面１に取付けることも可能であるが、図１に示されるように、座板４０を介在させて取付けることにより、取付部の水密性をさらに向上させることができる。座板４０は水密性の柔軟材料、例えばゴム或は柔軟な合成樹脂材料により成形され、図１０および図１１に示されるように、その平面はブラケット本体１０における取付板部１１側の外形輪郭に相当する平面外形を有し、ブラケット本体１０の連通孔２１に密嵌する上向き突出部４１、凹窪２６，２６に密嵌する上向き突部４２，４２、および取付板部１１の凹陥部２５に対応する形状を有すると共に周回する頂縁４３を下方に突出する山形条４４が周設された取付ネジ通過開口部４５が形成されている。この座板４０は、ブラケット本体１０の設置壁面１への取付に先立って、上向き突出部４１および上向き突部４２，４２をそれぞれブラケット本体１０の連通孔２１および凹窪２６，２６に密嵌させることによって仮着しておく。座板４０を仮着したブラケット本体１０は取付壁面１の所定箇所に取付ネジによって取付けられるが、締着時に取付ネジが取付ネジ通過開口部４５を通過して設置壁面１に捻込まれ、取付ブラケット１０と設置壁面１とによって押圧された山形条４４はブラケット１０と設置壁面１とを押圧によって取付ネジ通過開口部４５を外方から水密に隔離してブラケット本体１０の凹陥部２５内に収容される。したがって取付ブラケット本体１０と設置壁面１との間隙から水が侵入して取付ネジの箇所から設置壁面１の内部に浸水することを極力防止することができる。また取付ブラケット１０の連通孔２１に密嵌した上向き突出部４１はブラケット本体１０と設置壁面１との間隙から侵入した水が手摺杆２の固定支持部に浸水することを防止する。
【００１８】
設置壁面１に取付けられたブラケット本体１０には、前述のようにブラケットカバー３０が被覆装着される。ブラケットカバー３０は弾力性を有するために、ブラケット本体１０の凹溝２３，２３にブラケットカバー３０の内向き突縁３３を係合させてブラケット本体１０に対しブラケットカバー３０を取付板部１１方向に移動し、ブラケット本体１０の深溝部２４，２４の位置にブラケットカバー３０の突起部３４，３４がさしかかると、深溝部２４，２４に突起部３４，３４が弾発的に係止し、ブラケットカバー３０は一操作で簡単に装着できると共に装着したブラケットカバー３０は容易に離脱することのない係止状態を得ることができる。この状態でブラケットカバー３０の支持板部側の端縁３２は、支持板部１２の側縁に突設したフランジ部２２の張出面内に当接することになるから、使用者が外方に突出した支持板部側の端縁３２に接触して怪我をするような虞はない。同時にブラケットカバー３０の各端縁３１，３２の小口は設置壁面１およびブラケット本体１０のフランジ部２２の張出面に当接して露出することがないので、いたずら等により各端縁３１，３２からこじ開けられたりすることがない。またブラケットカバー３０の取付板部側の端縁３１内面はブラケット本体１０の取付板部１１側縁に密着し、ブラケットカバー３０の支持板部側の端縁３２内面はブラケット本体の支持板部１２側縁に密着するから、これらの接続部を通過する外部からブラケット本体１０内部への浸水を極力防止することができる。
【００１９】
本発明にかかる手摺は、前述のように取付ネジ等はすべてブラケットカバー３０の内部に包含されるので外部に露出せず、その他外部には鋭利な突出部や縁部が一切露出しないから、使用者の接触による怪我の発生を防止できるばかりでなく、外観も優美で室内外の各所に使用することができる。
【００２０】
【発明の効果】
本発明の効果を要約すれば次のとおりである。
Ａ．ブラケット本体の凹溝にブラケットカバーの内向き突縁を係合させてブラケット本体に対しブラケットカバーを取付板部方向に移動し、ブラケット本体の深溝部の位置にブラケットカバーの突起部がさしかかると、弾力性により深溝部に突起部が弾発的に係止し、ブラケットカバーは一操作で簡単に装着できると共に装着したブラケットカバーは容易に離脱することのない係止状態を得ることができる。
Ｂ．ブラケット本体における支持板部には、周囲に張出すフランジ部が突設されているために、ブラケット本体に装着した状態でブラケットカバーの支持板部側の端縁は、支持板部の側縁に突設したフランジ部の張出面内に当接することになるから、使用者が外方に突出した支持板部側の端縁に接触して怪我をするような虞はない。
Ｃ．ブラケットカバーの取付板部側の端縁内面はブラケット本体の取付板部側縁に密着し、ブラケットカバーの支持板部側の端縁内面はブラケット本体の支持板部側縁に密着するから、これらの接続部から侵入するブラケット本体内部への浸水を極力防止することができる。
【００２１】
Ｄ．ブラケット本体における支持板部には、周囲に張出すフランジ部が突設されているために、手摺杆における接続端部の縁がフランジ部の張出面を超えることがなく、張出面範囲内に収納されることになるから、使用者が外方に突出した被覆層段部面の縁に接触して怪我をするような虞がない。また使用者が手摺杆を握った手を滑らせた場合にも、フランジ部に滑らせた手が当接してそれ以上の滑りを停止し、手摺による支持を得ることができる。
Ｅ．ブラケット本体における支持板部には、周囲に張出すフランジ部が突設されているので、厚みの異なる合成樹脂被覆層を有する手摺杆や外周に凹凸条を有する手摺杆等、外径や外部形状の異なる各種の手摺杆を同一のブラケット本体に適用して使用可能であり、部品点数を減少させることができる。
Ｆ．特に長手方向に沿う把持用凹部が列設される手摺杆を使用する場合には、手摺杆の固定先端部と固定されるブラケット本体の環状凹部に水の侵入する間隙を生じさせないために、先端部の合成樹脂被覆層表層部を取除いて縮径した円筒形被覆層を露出させる皮剥き加工を必須とするが、把持用凹部が付されている手摺杆断面は真円とならないために、皮剥き加工の厚さを一様にすることが困難であり、屡々手摺杆の中心と縮径被覆層の中心とにズレを生ずる。しかしながらこのような場合でも、支持板部周囲に張出すフランジ部が形成されているために、縮径が開始する被覆層段部面の縁はフランジ部の張出面を超えることなく支持固定されるので、皮剥き加工時の芯合わせに過度の厳密性が要求されることがなく作業能率が向上する。同時に被覆層段部面の縁は支持板部の外面に密着されるので該接続部で外部からブラケット本体内部への浸水を極力防止できる。
【００２２】
Ｇ．ブラケット本体の側縁に取付ネジ孔の位置に対応する横方向位置決め溝および縦方向位置決め溝を凹設することにより、設置壁面上でのネジ孔位置を迅速に且つ正確に知ることができる。
Ｈ．取付板部の手摺長さ方向中心線に沿って複数の取付ネジ孔を穿設することにより、ブラケット本体のすべての取付ネジ孔は、一対のブラケット本体が手摺杆によって連結される場合を含め、一直線状に配置されるから、例えば浴室での手摺配置で壁面タイルの通り目地部に合致させて取付ネジを配置すること等は極めて簡単に行うことができる。
Ｉ．ブラケット本体を水密性柔軟材料製の座板を介在させて設置壁面に取付ける場合には、ブラケット本体と設置壁面との間隙から水が侵入して取付ネジの箇所から設置壁面の内部に浸水することを極力防止することができる。
Ｊ．取付ネジ等はすべてブラケットカバーの内部に包含されるので外部に露出せず、その他外部には鋭利な突出部や縁部が一切露出しないから、使用者の接触による怪我の発生を防止できるばかりでなく、外観も優美で室内外の各所に使用することができる。
【図面の簡単な説明】
【図１】本発明の実施形態による手摺の端部付近における分解斜視図である。
【図２】同じく手摺の端部付近の横部側面図である。
【図３】同じく手摺の端部付近の底面図である。
【図４】同じく手摺の端部付近の縦断面図である。
【図５】ブラケット本体の横部側面図である。
【図６】ブラケット本体の上面図である。
【図７】凹溝箇所におけるブラケット本体の横断面図である。
【図８】ブラケットカバーの前部側面図である。
【図９】ブラケットカバーの縦断面図である。
【図１０】座板の上面図である。
【図１１】座板の前部側面図である。
【符号の説明】
１    設置壁面                    ２    手摺杆
３    鋼管                        ４    合成樹脂被覆層
５    把持用凹部                  ６    縮径被覆層
７    被覆層段部面              １０    ブラケット本体
１１    取付板部                  １２    支持板部
１３    環状凹部                  １４    側板部
１５    取付ネジ孔                ２２    フランジ部
２３    凹溝                      ２４    深溝部
２８    横方向位置決め溝          ３０    ブラケットカバー
３１    取付板部側の端縁          ３２    支持板部側の端縁
３３    内向き突縁                ３４    突起部
４０    座板
【図１】
0003580629.tif 000002
【図２】
0003580629.tif 000003
【図３】
0003580629.tif 000004
【図４】
0003580629.tif 000005
【図５】
0003580629.tif 000006
【図６】
0003580629.tif 000007
【図７】
0003580629.tif 000008
【図８】
0003580629.tif 000009
【図９】
0003580629.tif 000010
【図１０】
0003580629.tif 000011
【図１１】
0003580629.tif 000012